【手続補正書】
【提出日】平成21年11月13日(2009.11.13)
【手続補正１】
【補正対象書類名】特許請求の範囲
【補正対象項目名】全文
【補正方法】変更
【補正の内容】
【特許請求の範囲】
【請求項１】
試料または試料の成分の化学的または物理的特性を決定するための方法であって、
ａ．該試料の少なくとも一部分から放出された、該試料の少なくとも一部分に伝達されたかまたは該試料の少なくとも一部分を通過して伝達された、あるいは該試料の少なくとも一部分と相互作用した電磁シグナルの変調に対応するインターフェログラムおよび／または少なくとも１のインターフェログラム要素を取得するステップと、
ｂ．
ｉ．少なくとも１の関数を用いて該インターフェログラムおよび／またはインターフェログラム要素のインターフェログラムおよび／またはセグメントの少なくとも１の変換と、
ｉｉ．所望により、該インターフェログラムおよび／またはインターフェログラム要素の別のセグメントについてｉ）を繰り返すことであって、ｉ）を一度だけ行う場合は、該変換はフーリエ変換を含まない、こととを行い、それにより少なくとも１のスコアを取得するステップと、
ｃ．該少なくとも１のスコアを該少なくとも１の化学的または物理的特性に相関させるステップと
を含む、方法。
【請求項２】
前記インターフェログラムが、変調の実質的に異なる状態を表す２以上のインターフェログラム要素を含み、好ましくは該インターフェログラムが、時間、周波数、位置または距離の等しい表示間隔における変調の状態を表す３以上のインターフェログラム要素を含む請求項１記載の方法。
【請求項３】
１以上のインターフェログラム要素が少なくとも２の異なるインターフェログラム要素に対して等しく離れていない時間、周波数、位置または距離における変調の状態を表し、好ましくは相対的間隔が前記インターフェログラムの特徴の表示を改善する目的を有する請求項２記載の方法。
【請求項４】
インターフェログラム要素間の間隔が、前記インターフェログラムの１のセクションにおいて該インターフェログラムの別のセクションよりも短く、好ましくは短い間隔のセクションのサイズが、少なくとも１の、好ましくは２以上の考えられる最大周波数の電磁シグナルの時間、周波数、位置または距離に対応し、好ましくは該短い間隔のセクションはインターフェログラムの中心バーストまたは中心バースト付近に存在する請求項３記載の方法。
【請求項５】
変調した電磁シグナルが１００００〜２００ｃｍ−１の周波数範囲にあり、変調手段が異なる距離（光路差、ＯＰＤ）を通った光を合することによって光を変調するインターフェロメーターであり、最大ＯＰＤが好ましくは１.０ｃｍ未満であり、好ましくは０.０８、０.０７、０.０６、０.０５、０.０４、０.０３、０.０２または０.０１ｃｍよりも短いような、０.８、０.６、０.５、０.４、０.３、０.２または０.１ｃｍよりも短い請求項１〜４のいずれか１に記載の方法。
【請求項６】
変調した電磁放射の干渉がインターフェログラム・ドメイン中の点の周りで対称または実質的に対称であり、インターフェログラム・ドメインの表示の程度が対称点に対して両方の方向で等しいまたは実質的に等しい請求項１〜５のいずれか１に記載の方法。
【請求項７】
変調した電磁放射の干渉が、インターフェログラム・ドメイン中の点の周りで対称または実質的に対称であり、インターフェログラムの表示の程度が対称点に対して２の方向で等しくない請求項１〜６のいずれか１に記載の方法。
【請求項８】
インターフェログラム・ドメインの対称の点が、表示したインターフェログラム・ドメインのいずれかの端に対して、インターフェログラム・ドメインの表示の５％〜４５％の、好ましくはインターフェログラム・ドメインの表示の２０％〜３０％のインターフェログラムの位置に位置する請求項７に記載の方法。
【請求項９】
インターフェログラム・ドメインの対称の点が、表示したインターフェログラム・ドメインのいずれかの端から、インターフェログラム・ドメインの表示の２０％のまたは２０％よりも近い、好ましくは表示したインターフェログラム・ドメインのいずれかの端から１０％のまたは１０％よりも近いインターフェログラムの位置に位置する請求項７に記載の方法。
【請求項１０】
インターフェログラムを高速フーリエ変換の方法を用いて周波数強度に変換し、好ましくは前記試料または試料の成分の特性が吸収、伝達または放出スペクトルの決定である請求項１〜９のいずれか１に記載の方法。
【請求項１１】
スペクトル特性がインターフェログラムおよびローディング関数の内積の結果、すなわちスコア値である請求項１〜１０のいずれか１に記載の方法。
【請求項１２】
前記ローディング関数を較正を介して決定し、好ましくは較正の目的が試料または試料の成分の化学的または物理学的特性の決定を実質的に最適化することである請求項１１記載の方法。
【請求項１３】
前記ローディング関数が周期関数であり、好ましくは該周期関数は、前記インターフェログラムに表される２以上の周期、例えば、該インターフェログラムに表される４以上の周期、例えば、該インターフェログラムに表される８以上の周期、例えば、該インターフェログラムに表される１６以上の周期を有し、好ましくは該周期関数が余弦または正弦関数である請求項１１記載の方法。
【請求項１４】
前記ローディング関数が対称であり、好ましくは該ローディング関数の合計が実質的にゼロに等しい請求項１１〜１３のいずれか１に記載の方法。
【請求項１５】
試料または試料の成分の吸収、伝達または放出特性を決定するためにスコアが用いられる請求項１１〜１４のいずれか１に記載の方法。
【請求項１６】
インターフェログラムおよび／またはローディングおよび／またはスコアをスペクトル特性に変換する前にスケール化し、好ましくはスケール化の目的が化学的または物理学的特性に対するスペクトル特性の相関における実質的に改善された安定性および／または信頼性を取得することであり、好ましくは、スケール化は部分的にまたは実質的に該相関に影響する変動を補償する請求項１〜１５のいずれか１に記載の方法。
【請求項１７】
スケール化を測定系の状態を反映する情報に基づいて決定し、好ましくはスケール化を前記インターフェログラムに反映された特性に基づいて決定する請求項１６記載の方法。
【請求項１８】
スケール化が測定系の参照材料または参照条件の測定を介して得た対応する特性に、インターフェログラムおよび／またはローディングおよび／またはスコアを関係付ける目的を有し、好ましくは参照材料が化学的または物理学的成分を実質的に含まない試料、例えば試料ブラインドを表す請求項１６または１７に記載の方法。
【請求項１９】
インターフェログラムおよび／またはローディングおよび／またはスコアは、所定の数値関数に供され、好ましくは、該数値関数は、情報が化学的または物理学的特性により良好に対応するように情報を変換し、より好ましくは、該数値関数は、情報が化学的または物理学的特性に実質的に線形に対応するように情報を変換する請求項１〜１８のいずれか１に記載の方法。
【請求項２０】
測定したインターフェログラムは、変換に供され、好ましくは該変換の目的が第２の機器で得られるのと同様に第１の機器で測定されたインターフェログラムにおける観察を表すことであり、好ましくは目的が第２の機器を用いて展開した決定モデルを用いて決定の統計学的な質を改善することである請求項１〜１９のいずれか１に記載の方法。
【請求項２１】
前記変換の特性を、第２の機器の状態に対する第１の機器の状態で決定する請求項２０記載の方法。
【請求項２２】
前記変換の特性または第１の機器の状態を、測定したインターフェログラムに基づいて決定し、好ましくは１またはそれを超える幾つかの以前に測定したインターフェログラムに基づいて決定する請求項２０または２１に記載の方法。
【請求項２３】
ローディング、第１の機器の測定に基づく決定のモデルの一部分は、変換に供され、好ましくは変換の目的が第１の機器で得られるのと同様に第２の機器の測定から導いた決定を表すことであり、好ましくは該目的が該第１の機器を用いて展開した決定モデルを用いて決定の質を改善することである請求項１〜２２のいずれか１に記載の方法。
【請求項２４】
変換の特性を第２の機器の状態に対する第１の機器の状態によって決定する請求項２３記載の方法。
【請求項２５】
変換の特性または第２の機器の状態を測定したインターフェログラムに基づいて決定し、好ましくはそれを１または幾つかの以前に測定したインターフェログラムに基づいて決定する請求項２３または請求項２４に記載の方法。
【請求項２６】
決定のモデルを、好ましくは試料または試料の成分の化学的または物理学的特性に関連する試料の公知の特性を含む較正によって第１の機器で展開し、好ましくはこれらの試料を数回測定し、好ましくは、該モデルの特性が、実質的に第２の機器の状態のいかなるアプリオリな知識も用いずに、より好ましくは第２の機器の状態のアプリオリな知識を含むことによって、該モデルが第２の機器上の測定に適用されることを可能にする請求項１〜２５のいずれか１に記載の方法。
【請求項２７】
化学的または物理学的特性の決定は、所定の予想モデルをインターフェログラムおよび／またはスペクトル特性に適用することによって行われ、好ましくは該予想モデルは、較正を介して決定され、好ましくは該較正がＰＬＳ、ＰＣＡ、ＬＳ、ＡＮＮ、ＰＡＲＡＦＡＣ、Tucker３のような多変量較正である請求項１〜２６のいずれか１に記載の方法。
【請求項２８】
試料が以下のもの：環境試料、飲料水、浴槽水、プロセス用水、冷却水のような水性試料；組織試料、血液試料、尿試料、糞試料、細胞培養試料、細菌培養物、酵母培養物のような生物試料；油試料、石油試料、油脂試料、医薬試料のような産業試料；ミルク試料、乳製品試料、肉試料、魚試料、果実試料、野菜試料のような食料試料；排気ガス、発酵ガス、可燃性ガスのような気体試料のうちの１を表す試料である請求項１〜２７のいずれか１に記載の方法。
【請求項２９】
評価する化学的または物理学的特性が以下のもの：スペクトル特性、温度、濁度、全有機材料、乾燥材料、溶解材料、クロロフィル、繊維、アミノ酸、タンパク質、脂肪、脂肪酸、脂質、グリセリド、コレステロール、酵素、糖、グルコース、アルコール、エタノール、メタノール、酸、クエン酸、酸性酸（acidic acid)、脂肪族化合物、芳香族化合物、ケトン、アルデヒド、ｐＨ、密度、塩分、色のうちの１である請求項１〜２８のいずれか１に記載の方法。
【請求項３０】
電磁シグナルが以下のスペクトル領域：Ｘ−線、ＵＶ／可視光、近−ＩＲ、中−ＩＲ、遠−ＩＲ、マイクロ波、無線周波数のうちの１または幾つかである請求項１〜２９のいずれか１に記載の方法。
【請求項３１】
インターフェログラムが、以下の分光学的方法：吸収、伝達、反射、放射のうちの１または幾つかと結合して得られる請求項１〜３０のいずれか１に記載の方法。
【請求項３２】
インターフェログラムが１以上の現象、光子、熱、圧力の検出を反映する請求項３１に記載の方法。
【請求項３３】
決定される特性が食料または飼料試料の化学的または物理学的特性であり、好ましくは食料または飼料試料が以下のもの：果汁、ミルク、乳製品、穀物、シリアルのうちの１または幾つかである請求項１〜３２のいずれか１に記載の方法。
【請求項３４】
決定される特性が飲料試料の化学的または物理学的特性であり、好ましくは飲料試料が以下のもの：ジュース、ソフトドリンク、ビール、ワイン、スピリッツのうちの１または幾つかである請求項１〜３２のいずれか１に記載の方法。
【請求項３５】
決定される特性が医薬試料の化学的または物理学的特性であり、好ましくは医薬試料が以下のもの：医薬製品の製造に使用する原料、医薬製品の製造に使用する中間生成物、医薬製品のうちの１または幾つかである請求項１〜３２のいずれか１に記載の方法。
【請求項３６】
決定される特性が生物試料の化学的または物理学的特性であり、好ましくは生物試料が以下のもの：組織試料、血液試料、尿試料、糞便試料のうちの１または幾つかであり、好ましくは試料はヒトまたは家畜起源のものである請求項１〜３２のいずれか１に記載の方法。
【請求項３７】
決定される特性が環境試料の化学的または物理学的特性であり、好ましくは環境試料が以下のもの：土壌、水性液、気体のうちの１または幾つかである請求項１〜３２のいずれか１に記載の方法。
【請求項３８】
決定される特性が場所の状態または特性であり、好ましくは場所の状態または特性が以下のもの：火災の前段階、火災、化学物質の流出、水の流出のうちの１であり、好ましくはインターフェログラムを受動的無線検知の結果として得る請求項１〜３２のいずれか１に記載の方法。
【請求項３９】
該少なくとも１の関数が少なくとも１のローディング関数である請求項１〜３８のいずれか１に記載の方法。
【請求項４０】
該少なくとも１の関数がインターフェログラムの長さによって設定される２のフーリエ変換周波数の間の周波数における正弦または余弦である請求項１〜３８のいずれか１に記載の方法。
【請求項４１】
該少なくとも１の関数が周波数において等しく離れていない少なくとも３の余弦または正弦関数を含む請求項１〜４０のいずれか１に記載の方法。
【請求項４２】
前記変換が前記インターフェログラムとそれぞれの関数との間の内積を計算することを含む請求項１〜４１のいずれか１に記載の方法。
【請求項４３】
前記少なくとも１の関数が実質的に平衡している請求項１〜４２のいずれか１に記載の方法。
【請求項４４】
前記少なくとも１の関数がアポディゼーションされている請求項１〜４３のいずれか１に記載の方法。
【請求項４５】
前記少なくとも１の関数が他の値について余弦およびゼロのような周期関数の少なくとも１のセグメントである請求項１〜４４のいずれか１に記載の方法。
【請求項４６】
前記少なくとも１の関数がＤｉｒａｃまたはＫｒｏｎｅｃｋｅｒデルタ関数である請求項１〜４５のいずれか１に記載の方法。
【請求項４７】
前記少なくとも１の関数が分析的に規定した関数である請求項１〜４６のいずれか１に記載の方法。
【請求項４８】
前記少なくとも１の関数が離散したデータセットを含む請求項１〜４７のいずれか１に記載の方法。
【請求項４９】
前記少なくとも１の関数が多変量較正によって見出されたローディング関数である請求項４８に記載の方法。
【請求項５０】
前記少なくとも１の関数が正弦または余弦とは異なる請求項１〜４９のいずれか１に記載の方法。
【請求項５１】
前記インターフェログラムまたはインターフェログラム・セグメントが、可変密度および／または不均一な分布を用いてサンプリングされる請求項１〜５０のいずれか１に記載の方法。
【請求項５２】
さらに、少なくとも１の隣接するデータポイントに基づいてインターフェログラム、インターフェログラムのセグメントまたはインターフェログラム要素を形成する各データポイントを概算するステップを含む請求項１〜５１のいずれか１に記載の方法。
【請求項５３】
前記離散したデータセットは、インターフェログラム、インターフェログラムのセグメントまたはインターフェログラム要素において得られたデータポイントの変調ドメインの位置に適合するように、インターフェログラム・ドメインにおいて隣接するデータポイントから各データポイントを概算することによって見出される、請求項４８、４９および５２のいずれか１に記載の方法。
【請求項５４】
試料または試料の成分の化学的または物理学的特性を決定するシステムであって、
ａ．試料の少なくとも一部分から放出された、試料の少なくとも一部分に伝達されたかまたは試料の少なくとも一部分を通過して伝達された、あるいは試料の少なくとも一部分と相互作用した電磁シグナルの変調に対応するインターフェログラムおよび／または少なくとも１のインターフェログラム要素を得るためのインターフェロメーターと、
ｂ．プロセッサーであって、
ｉ．少なくとも１の関数を用いて、インターフェログラムおよび／またはインターフェログラムのセグメントおよび／またはインターフェログラム要素の少なくとも１の変換と、
ｉｉ．所望により、インターフェログラムおよび／またはインターフェログラム要素の別のセグメントについてｉ）を繰り返すことと
を行うプロセッサーであって、該変換は、ｉ）を１回のみ行う場合はフーリエ変換を含まず、該プロセッサーは変換から少なくとも１のスコアを得るための手段を含む、プロセッサーと、
ｃ．該少なくとも１のスコアを少なくとも１の化学的または物理学的特性に相関させる手段と
を含む、システム。
【請求項５５】
さらに、請求項２〜５３のうちの１以上の請求項に記載の特徴のうちの１以上の特徴を行うための手段を含む請求項５４記載のシステム。